(57)【要約】【課題】  弾性被膜によって被覆される部材に変更を加えることによって、握った状態で圧迫感のすくない痛みを感じ難い釣り竿のグリップ部を提供する。【解決手段】  竿素材６の外周面の所定位置に、複数個の弾性材製の環状基体７を軸線方向に沿って所定間隔を持って外嵌装着するとともに、外嵌装着された複数の環状基体７の外周面に亘って熱収縮チューブ８を被覆し、隣接する環状基体７，７と熱収縮チューブ８とで囲まれた空間を空気収納空間Ｂに構成してある。【選択図】        図２
2008118926.tif 000002
【特許請求の範囲】
【請求項１】
竿素材の外周面の所定位置に、複数個の弾性材製の環状基体を軸線方向に沿って所定間隔を持って外嵌装着するとともに、外嵌装着された複数の環状基体の外周面に亘って弾性被膜を被覆し、隣接する環状基体と弾性被膜とで囲まれた空間を気体または液体収納空間に構成してある釣り竿のグリップ構造。
【請求項２】
前記環状基体に、前記気体または液体収納空間同士を連通させる細孔を形成してある請求項１記載の釣り竿のグリップ構造。
【請求項３】
前記弾性被膜が熱収縮チューブで構成されている請求項１または２記載の釣り竿のグリップ構造。
【発明の詳細な説明】
【技術分野】
【０００１】
本発明は、釣り竿のグリップ構造に関する。
【背景技術】
【０００２】
竿素材の所定位置に、天然コルク、発泡プラスティック等の多孔質材料に熱収縮チューブ等の薄膜材料を被覆して、グリップを形成するものがあった（特許文献１参照）。
【０００３】
【特許文献１】特許第３０３５４４６号（段落番号〔００１１〕〜〔００１３〕、及び、図２、３）
【発明の開示】
【発明が解決しようとする課題】
【０００４】
多孔質材料でグリップを形成した場合には、ゴム等の単なる弾性材でグリップ部を形成した場合に比べて、握持感に優れるものであるが、グリップ全体が同一の多孔質材料で形成されるので、材料として変形性の向上のみを主眼として弾性の高い発泡ウレタン等のものを選定すると、変形性が高くなり過ぎて却って強度的に不足を来たすこともあり、反対に、強度面だけに主眼をおいてコルク等の材料を選定すると、変形性の面で不満の残るものとなり、適切な材料選定が難しい面があった。
【０００５】
本発明の目的は、弾性被膜によって被覆される部材に変更を加えることによって、握った状態で圧迫感のすくない痛みを感じ難い釣り竿のグリップ構造を提供する点にある。
【課題を解決するための手段】
【０００６】
〔構成〕
請求項１に係る発明の特徴構成は、竿素材の外周面の所定位置に、複数個の弾性材製の環状基体を軸線方向に沿って所定間隔を持って外嵌装着するとともに、外嵌装着された複数の環状基体の外周面に亘って弾性被膜を被覆し、隣接する環状基体と弾性被膜とで囲まれた空間を気体または液体収納空間に構成してある点にあり、その作用効果は次の通りである。
【０００７】
〔作用〕
グリップとして、多孔質材料に比べて変形性の高い気体または液体収納空間を設けることによって、その気体または液体収納空間と弾性材製の環状基体とを組み合わせたグリップ全体として弾性変形力の高いものにでき、握る手の掌に対する追従性を高くすることができる。
しかも、気体または液体収納空間に比べて変形性の低い弾性材製の環状基体を配置してあるので、気体または液体収納空間だけでグリップ全体を構成した場合に比べて変形が大き過ぎることはなく、弾性材製の環状基体によってグリップとして最小限の保形性を維持できる。それでいて、手の掌に当接作用する部分は弾性材製の環状基体部位に限定されるので、手指を圧迫する範囲を抑えることができ、痛みを感じることが少ない。
【０００８】
〔効果〕
グリップ全体を単一の弾性材によって構成するのではなく、複数個の弾性材製の環状基体を配置し、その環状基体を弾性被膜で被覆することによって環状基体の間に気体または液体収納空間を形成するという、変形性の異なる二種の構造によってグリップを構成することによって、グリップ全体としての変形性を高めながら、一定程度の保形性を確保することができ、長時間の釣り操作においても、圧迫感、局部的痛みの少ない釣り竿のグリップ構造を提供できるに至った。
【０００９】
請求項２に係る発明の特徴構成は、請求項１に係る発明において、前記環状基体に、前記気体または液体収納空間同士を連通させる細孔を形成してある点にあり、その作用効果は次の通りである。
【００１０】
〔作用効果〕
つまり、気体または液体収納空間を区画している環状基体にその空間同士を連通させる細孔を形成することによって、その空間部分が被膜を通して手指の圧縮力を受けた場合に、封入されている気体等が手指の圧縮力を受けていない空間に流入することとなり、圧縮力を受けた空間の変形性が大きくなり、手指への追従性が向上する。
【００１１】
請求項３に係る発明の特徴構成は、請求項１又は２に係る発明において、前記弾性被膜が熱収縮チューブで構成されている点にあり、その作用効果は次の通りである。
【００１２】
〔作用効果〕
熱収縮チューブの熱収縮力によって、弾性被膜としての熱収縮チューブと環状基体、及び、環状基体と竿素材との連結状態を強固にでき、グリップ全体としての保形性が向上する。
【発明を実施するための最良の形態】
【００１３】
磯竿、または、船竿等のグリップ１の構成について説明する。図１及び図２に示すように、竿体２に固定フード３Ａ、可動フード３Ｂを備えたリールシート３を装着固定するとともに、リールシート３を装着した元竿２の竿軸線を挟んで１８０°反対側の面に、図示していない開口を塞ぐゴムカバー体４を装着して、このゴムカバー体４でリールシート３を握り込む釣り人の手の滑りを抑制し、リールシート３より竿尻側にグリップ１を設け、グリップ１の竿尻端に尻栓５を設けて、元竿Ａを構成してある。
【００１４】
グリップ１の構成について説明する。図１及び図２に示すように、元竿Ａを構成する竿素材６を設ける。竿素材６は、図示しないが、一般的な製作方法で製作される。つまり、炭素繊維やガラス繊維、ボロン繊維等の強化繊維を一方向に引き揃え、引き揃え強化繊維に対して、エポキシ樹脂やフェノール樹脂等の熱硬化性樹脂、或るは、ＰＥＴの熱可塑性樹脂を含浸させて、プリプレグシートを形成する。
【００１５】
プリプレグシートを所定形状に裁断してメインパターンと補助パターンとを形成し、夫々、マンドレルにメインパターンと補助パターンとを巻回し、メインパターン等をマンドレルに巻回した状態で焼成炉において焼成する。焼成後、所定長さに裁断し、仕上研磨を行って竿素材６を構成する。
【００１６】
竿素材６に、図１及び図２に示すように、グリップ１を設ける。つまり、グリップ１の形成位置に、複数個の弾性材製の環状基体７を軸線方向に沿って所定間隔を持って外嵌装着する。この環状基体７としては、ゴム製であり、ニトリルゴム、クロロプレンゴム等が使用され、ゴム以外では、軟質の樹脂でもよい。
環状基体７としては、竿先側から竿尻側に掛けて徐々に大径化し、中間部位から竿尻端まで一定の外径を有するものに形成される。
【００１７】
外嵌装着された複数個の環状基体７の外周面に亘って弾性被膜を被覆する構成について説明する。図１及び図２に示すように、ここで弾性被膜として熱収縮チューブ８を使用する。そこで、竿素材６に装着された複数個の環状基体７に対して熱収縮チューブ８を被覆し、加熱処理を施すと、熱収縮チューブ８が環状基体７を締め付ける状態で固着する。
そうすると、図２に示すように、隣接する環状基体７、７の間で熱収縮チューブ８に覆われた部分に、空気を封入した気体収納空間Ｂが形成される。
【００１８】
図１及び図２に示すように、グリップ１を形成する熱収縮チューブ８の竿先側端部８ａについては、竿素材６に塗布された塗装層９の竿尻側端部によって覆うように構成する。これによって、熱収縮チューブ８の捲り上がり等を抑制できる。熱収縮チューブ８の竿尻側端部８ｂについては、尻栓５の取り付け用リング１０内に嵌め込んで覆うように構成する。
【００１９】
以上のように、弾性材製の環状基体７を設けることによって、グリップ１を手で握ることによって、環状基体７が撓むこととなるので、圧迫感が少ない。それに加えて、環状基体７、７間に気体収納空間Ｂが設けてあるので、空気の圧縮性によって、更に、収縮することとなる。
このように、弾性材製の環状基体７と気体収納空間Ｂとの組み合わせによって、手の握り力に対応した変形状態を示し、手に痛みを感ずることなく長時間に亘って竿操作を行うことができる。
【００２０】
図１及び図２に示すように、環状基体７の外周面に亘って熱収縮チューブ８を施すと、収縮後の状態で、環状基体７の間に位置する気体収納空間Ｂの表面が凹みを生じたようになり、グリップ１の表面としては、緩やかな凹凸面８Ａ、８Ｂを呈する状態となっている。これによって、グリップ１を握る手指に適度な滑り止め効果を付与できることとなる。
【００２１】
〔別実施形態〕
（１）図４に示すように、各環状基体７に隣接する気体収納空間Ｂに連通する細孔７ａを設け、手指で押えられた気体収納空間Ｂの封入気体を細孔７ａを通して、手指の圧縮を受けていない気体収納空間Ｂに移動させることによって、手指で押えられている気体収納空間Ｂでの変形を大きくすることができ、手指の圧縮力に対する追従性をより良好なものとすることができる。
（２）弾性被膜として熱収縮チューブ８を使用したが、弾性変形可能なものであれば、樹脂製のシートを筒状に形成して、環状基体７を覆う構成でもよい。
（３）隣接する環状基体７，７間に位置する収納空間Ｂに封入するものとしては、気体ではなく液体でもよく、シリコンオイル等の油類を封入するものでもよい。
【図面の簡単な説明】
【００２２】
【図１】元竿を示す側面図
【図２】グリップを示す縦断側面図
【図３】環状基体を竿素材に装着した状態を示す縦断正面図
【図４】環状基体に細孔を形成した別実施構造を示す縦断側面図
【符号の説明】
【００２３】
６            竿素材
７            環状基体
７ａ          細孔
８            熱収縮チューブ（弾性被膜）
Ｂ            液体または気体収納空間
【図１】
2008118926.tif 000003
【図２】
2008118926.tif 000004
【図３】
2008118926.tif 000005
【図４】
2008118926.tif 000006